(57)【要約】【解決課題】引き出しトレイ収納庫を、急に発進又は停止させたり、移動型の引き出しトレイ収納庫を押して勢いよく廊下の曲がり角を曲がっても、引き出しトレイが収納庫内から飛び出すことがない引き出しトレイ収納庫を提供すること。【解決手段】平面視が矩形の引き出しトレイであって、該矩形の対向する２組の２辺のうち、少なくとも１組の対向する２辺に、側面から外側に張り出すフランジ部が形成されており、該フランジ部の下側且つ両端近傍に、トレイ側ストッパーが形成されており、内側が、該引き出しトレイ支持部材の下側ガイド側ストッパーに引っ掛かり、且つ、該トレイ側ストッパーと該下側ガイド側ストッパーの接点を支点として、該引き出しトレイを外側に向けて傾かせ、該フランジ部の端を該上側ガイド部に当接させることができるものであること、を特徴とする引き出しトレイ。【選択図】図１
2015221088.tif 000002
【特許請求の範囲】
【請求項１】
平面視が矩形の引き出しトレイであって、
該矩形の対向する２組の２辺のうち、少なくとも１組の対向する２辺に、側面から外側に張り出すフランジ部が形成されており、
該フランジ部の下側且つ両端近傍に、トレイ側ストッパーが形成されており、
該トレイ側ストッパーは、該引き出しトレイが引き出しトレイ支持部材のガイド部内から引き出されるときに、内側が、該引き出しトレイ支持部材の下側ガイド側ストッパーに引っ掛かることにより、該引き出しトレイが該引き出しトレイ支持部材から外れるのを防ぎ、且つ、該引き出しトレイが引き出しトレイ支持部材のガイド部内から引き出されて、該トレイ側ストッパーが該下側ガイド側ストッパーに引っ掛かった後に、該トレイ側ストッパーと該下側ガイド側ストッパーの接点を支点として、該引き出しトレイを外側に向けて傾かせ、該フランジ部の端を該引き出しトレイ支持部材の上側ガイド部に当接させることができるものであること、
を特徴とする引き出しトレイ。
【請求項２】
複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向し且つ該引き出しトレイのフランジ部の下側の面が接する下側第一平坦面を有し、
該下側ガイド部の両端には、該下側第一平坦面の上下方向の位置より上に上端が突出している下側ガイド側ストッパーが形成されており、
該下側第一平坦面の両側には、引き出しトレイのトレイ側ストッパーを収めるための下側凹み部が形成されていること、
を特徴とする引き出しトレイ支持部材。
【請求項３】
前記下側ガイド部の前記下側凹み部と前記下側ガイド側ストッパーとの間に、面の上下方向の位置が前記下側第一平坦面と同じ位置であり、前記引き出しトレイのフランジ部の下側が接する下側第二平坦面が形成されていることを特徴とする請求項２記載の引き出しトレイ支持部材。
【請求項４】
前記上側ガイド部の両端近傍に、外側に向けて下り傾斜の傾斜面であり、且つ、前記引き出しトレイのフランジ部の端部近傍の上側の面が接する上側傾斜面が形成されていることを特徴とする請求項２又は３いずれか１項記載の引き出しトレイ支持部材。
【請求項５】
複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側平坦面を有し、
該下側ガイド部の両端には、引き出しトレイが該引き出しトレイ支持部材内に収納されているときに、該引き出しトレイの下側の面の上下方向の位置より上に上端が突出している下側ガイド側ストッパーが形成されていること、
を特徴とする引き出しトレイ支持部材。
【請求項６】
請求項２〜５いずれか１項記載の引き出しトレイ支持部材が取り付けられていることを特徴とする引き出しトレイ収納庫。
【請求項７】
前記引き出しトレイ収納庫が、移動型の引き出しトレイ収納庫であることを特徴とする請求項６記載の引き出しトレイ収納庫。
【請求項８】
前記移動型の引き出しトレイ収納庫が、病院用ワゴン車であることを特徴とする請求項７記載の引き出しトレイ収納庫。
【請求項９】
前記移動型の引き出しトレイ収納庫が、商品運搬用ワゴン車であることを特徴とする請求項７記載の引き出しトレイ収納庫。
【請求項１０】
請求項１記載の引き出しトレイが１以上収納されていることを特徴とする請求項６〜９いずれか１項記載の引き出しトレイ収納庫。
【発明の詳細な説明】
【技術分野】
【０００１】
本発明は、引き出しトレイを多段状に多数収納するための収納庫、その収納庫に取り付けられ、引き出しトレイを支持するための引き出しトレイ支持部材、及び引き出しトレイ収納庫に収納される引き出しトレイに関する。
特に、本発明は、引き出しトレイを多段状に収納して、引き出しトレイに載せられた運搬物を運搬するための移動型の引き出しトレイ収納庫、例えば、病院で、薬、医療用具等を運搬するための病院用ワゴン車であって、薬、医療用具等が載せられたトレイを多段状に収納して運搬するための病院用のワゴン車や、スーパーマーケット、大規模小売店舗等の商品陳列、運搬、移動などに用いられる商品運搬用ワゴン車であって、商品等が載せられたトレイを多段状に収納して運搬するための商品運搬用のワゴン車、それに取り付けられる引き出しトレイ支持部材及びそれに収納される引き出しトレイに関する。
【背景技術】
【０００２】
病院等の施設では、薬、医療用具等を運搬するために、薬、医療用具等の運搬物が載せられたトレイが、多段状に収納される移動型の引き出しトレイ収納庫（病院用ワゴン）が用いられる。また、スーパーマーケット、大規模小売店舗等では、商品の陳列、運搬、移動などをするために、商品が載せられたトレイが、多段状に収納される移動型の引き出しトレイ収納庫（商品運搬用ワゴン）が用いられる。
【０００３】
この移動型の引き出しトレイ収納庫を、急に発進又は停止させたり、移動型の引き出しトレイ収納庫を押して勢いよく廊下の曲がり角を曲がったりすると、慣性力によって、引き出しトレイが収納庫内から飛び出してしまう。
【０００４】
ところが、病院等の施設では、これらの運搬物を迅速に運搬する必要があるため、ゆっくりと移動型の引き出しトレイ収納庫を発信、停止又は移動させることができないという事情がある。そのため、上記のように、引き出しトレイが収納庫内から飛び出してしまうおそれがある。また、スーパーマーケット、大規模小売店舗等では、作業効率という点からは、商品の運搬、移動などが速ければ速いほど好ましいが、商品の運搬、移動などを速くするために、移動型の引き出しトレイ収納庫を、素早く、発信、停止又は移動させると、同様な問題が起こり得る。
【０００５】
また、収納庫内から物を取り出すために、トレイを引くときに、勢いよくトレイを引いてしまうと、トレイが収納庫内の支持レール等からはずれて、トレイごと収納庫外に飛び出してしまうおそれがある。
【０００６】
また、引き出しトレイが多段状に収納されている引き出しトレイ収納庫では、収納庫の上方の段に収納されているトレイから、物を取り出すときに、取り出し難いという問題もある。
【発明の概要】
【発明が解決しようとする課題】
【０００７】
従って、本発明の課題は、引き出しトレイ収納庫を、急に発進又は停止させたり、引き出しトレイ収納庫を押して勢いよく廊下の曲がり角を曲がっても、引き出しトレイが収納庫内から飛び出すことがない引き出しトレイ収納庫及び引き出しトレイを提供することにある。また、本発明の課題は、収納庫内から収納物を取り出すために、勢いよくトレイを引いても、トレイが収納庫内の支持部材からはずれて、トレイごと収納庫外に飛び出してしまうことがなく、且つ、トレイから収納物を取り出し易い引き出しトレイ収納庫及び引き出しトレイを提供することにある。
【課題を解決するための手段】
【０００８】
上記本発明の課題は、以下の本発明により解決される。
すなわち、本発明（１）は、平面視が矩形の引き出しトレイであって、
該矩形の対向する２組の２辺のうち、少なくとも１組の対向する２辺に、側面から外側に張り出すフランジ部が形成されており、
該フランジ部の下側且つ両端近傍に、トレイ側ストッパーが形成されており、
該トレイ側ストッパーは、該引き出しトレイが引き出しトレイ支持部材のガイド部内から引き出されるときに、内側が、該引き出しトレイ支持部材の下側ガイド側ストッパーに引っ掛かることにより、該引き出しトレイが該引き出しトレイ支持部材から外れるのを防ぎ、且つ、該引き出しトレイが引き出しトレイ支持部材のガイド部内から引き出されて、該トレイ側ストッパーが該下側ガイド側ストッパーに引っ掛かった後に、該トレイ側ストッパーと該下側ガイド側ストッパーの接点を支点として、該引き出しトレイを外側に向けて傾かせ、該フランジ部の端を該引き出しトレイ支持部材の上側ガイド部に当接させることができるものであること、
を特徴とする引き出しトレイを提供するものである。
【０００９】
また、本発明（２）は、複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向し且つ該引き出しトレイのフランジ部の下側の面が接する下側第一平坦面を有し、
該下側ガイド部の両端には、該下側第一平坦面の上下方向の位置より上に上端が突出している下側ガイド側ストッパーが形成されており、
該下側第一平坦面の両側には、引き出しトレイのトレイ側ストッパーを収めるための下側凹み部が形成されていること、
を特徴とする引き出しトレイ支持部材を提供するものである。
【００１０】
また、本発明（３）は、複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側平坦面を有し、
該下側ガイド部の両端には、引き出しトレイが該引き出しトレイ支持部材内に収納されているときに、該引き出しトレイの下側の面の上下方向の位置より上に上端が突出している下側ガイド側ストッパーが形成されていること、
を特徴とする引き出しトレイ支持部材を提供するものである。
【００１１】
また、本発明（４）は、本発明（２）又は（３）いずれかの引き出しトレイ支持部材が取り付けられていることを特徴とする引き出しトレイ収納庫を提供するものである。
【発明の効果】
【００１２】
本発明によれば、移動型の引き出しトレイ収納庫を、急に発進又は停止させたり、移動型の引き出しトレイ収納庫を押して勢いよく廊下の曲がり角を曲がっても、引き出しトレイが収納庫内から飛び出すことがない引き出しトレイ収納庫及び引き出しトレイを提供することができる。また、本発明の課題は、収納庫内から収納物を取り出すために、勢いよくトレイを引いても、トレイが収納庫内の支持部材からはずれて、トレイごと収納庫外に飛び出してしまうことがなく、且つ、トレイから収納物を取り出し易い引き出しトレイ収納庫及び引き出しトレイを提供することができる。
【図面の簡単な説明】
【００１３】
【図１】本発明の引き出しトレイ収納庫、本発明の引き出しトレイ支持部材及び本発明の引き出しトレイの形態例を示す模式的な斜視図である。
【図２−（Ａ）】図１に示す引き出しトレイの模式的である。
【図２−（Ｂ）】図１に示す引き出しトレイの模式的である。
【図２−（Ｃ）】図１に示す引き出しトレイの模式的である。
【図２−（Ｄ）】図１に示す引き出しトレイの模式的である。
【図２−（Ｅ）】図１に示す引き出しトレイの模式的である。
【図３】図１に示す引き出しトレイ支持部材のガイド部の模式図である。
【図４】引き出しトレイを、ガイド部に差し入れる様子を示す模式図である。
【図５】引き出しトレイを、ガイド部に差し入れる様子を示す模式図である。
【図６】引き出しトレイを、ガイド部から引き出す様子を示す模式図である。
【図７】引き出しトレイを、ガイド部から引き出す様子を示す模式図である。
【図８】引き出しトレイを、ガイド部から引き出す様子を示す模式図である。
【図９】引き出しトレイを、ガイド部から引き出す様子を示す模式図である。
【図１０】引き出しトレイを、ガイド部から取り外す様子を示す模式図である。
【図１１】下側ガイド部の形態例を示す模式図である。
【図１２】下側ガイド部の形態例を示す模式図である。
【図１３】上側ガイド部の形態例を示す模式図である。
【発明を実施するための形態】
【００１４】
本発明の引き出しトレイ収納庫、本発明の引き出しトレイ支持部材及び本発明の引き出しトレイについて、図１〜図１０を参照して説明する。図１は、本発明の引き出しトレイ収納庫、本発明の引き出しトレイ支持部材及び本発明の引き出しトレイの形態例を示す模式的な斜視図である。図２は、図１に示す引き出しトレイの模式的であり、（Ａ）は斜視図、（Ｂ）は正面図、（Ｃ）は平面図、（Ｄ）は側面図、（Ｅ）は底面図である。図３は、図１に示す引き出しトレイ支持部材のガイド部の模式図であり、（Ａ）は斜視図、（Ｂ）は正面図、（Ｃ）は側面図である。図４〜図１０は、引き出しトレイを、ガイド部に差し入れる様子、ガイド部から引き出す様子、又はガイド部から取り外す様子を示す模式図である。なお、図４〜図１０では、説明の都合上、引き出しトレイにより隠れるガイド部を、点線で示した。また、以下の説明では、上下方向とは垂直方向であり正面図における上下方向であり、また、左右方向とは引き出しトレイが出し入れされる方向であり正面図における左右方向であり、また、内側とは正面図において左右方向に見たときの部材の内側のことであり、また、外側とは正面図において左右方向に見たときの部材の外側のことであり、また、端又は端部とは正面図において左右方向に見たときの部材の端又は端部のことである。
【００１５】
図１に示すように、引き出しトレイ収納庫１は、引き出しトレイ２０を多段の棚状に収納する収納庫である。引き出しトレイ収納庫１は、収納庫の枠となる枠体３と、枠体３に取り付けられている一対の引き出しトレイ支持部材２ａ、２ｂと、からなる。また、引き出しトレイ収納庫１には、車輪４が取り付けられている。そのため、引き出しトレイ収納庫１は、移動型の引き出しトレイ収納庫である。
【００１６】
図２に示すように、引き出しトレイ２０は、平面視が矩形の引き出しトレイである。そして、引き出しトレイ２０の矩形の４辺全てに、側面から外側に張り出すフランジ部２１が形成されている。フランジ部２１の下側の面、且つ、フランジ部２１の両端近傍に、トレイ側ストッパー２３（２３ａ、２３ｂ）が形成されている。トレイ側ストッパー２３の内側２３１（２３１ａ、２３１ｂ）は、垂直な面になっている。また、トレイ側ストッパー２３の外側は、外側に向かって上り傾斜の傾斜面となっている。なお、外側に向かって上り傾斜とは、トレイ側ストッパーの外側を正面視したときに、その輪郭が外側に向かって下るように傾斜していることを指す。
【００１７】
引き出しトレイ支持部材２は、引き出しトレイ２０を収納庫内に収納するときに、引き出しトレイ２０に形成されているフランジ部２１を収納庫内にガイドするガイド部１０を有する。図３に示すように、ガイド部１０は、上側ガイド部１１と、下側ガイド部１２と、からなる。
【００１８】
上側ガイド部１１は、下側ガイド部の第一平坦面１４に対向する上側平坦面１３を有する。上側ガイド部１１の端部近傍に、外側に向けて下り傾斜の上側傾斜面１８（１８ａ、１８ｂ）が形成されている。なお、外側に向かって下り傾斜とは、上側ガイド部の端部を正面視したときに、その輪郭が外側に向かって下るように傾斜していることを指す。
【００１９】
また、下側ガイド部１２は、上側平坦面１３に対向する下側第一平坦面１４を有する。下側ガイド部１２の両端には、下側第一平坦面１４の上下方向の位置より上に上端が突出している下側ガイド側ストッパー１６（１６ａ、１６ｂ）が、形成されている。下側第一平坦面１４の両側には、上下方向で見たときに、下側第一平坦面１４の上下方向の位置より凹んでいる下側凹み部１７（１７ａ、１７ｂ）が形成されている。下側凹み部１７と下側ガイド側ストッパー１６との間に、下側第二平坦面１５（１５ａ、１５ｂ）が形成されている。下側第二平坦面１５の上下方向の位置は、下側第一平坦面１４の上下方向の位置と同じである。
【００２０】
上側ガイド部１１と下側ガイド部１２は、引き出しトレイ２０のフランジ部２１が、収納庫内にガイドされるように、適切な間隔を開けて形成される。
【００２１】
そして、引き出しトレイ収納庫１では、引き出しトレイ収納庫１に取り付けられている片側の引き出しトレイ支持部材２ａのガイド部１０の上側ガイド部１１と下側ガイド部１２とにより、引き出しトレイ２０の片側のフランジ部２１がガイドされ、且つ、引き出しトレイ収納庫１のもう片側の引き出しトレイ支持部材２ｂのガイド部１０の上側ガイド部１１と下側ガイド部１２とにより、引き出しトレイ２０のもう片側のフランジ部２１がガイドされる。引き出しトレイ収納庫１内に引き出しトレイ２０が収納されている状態では、両側の下側ガイド部１２で、引き出しトレイ２０の両側のフランジ部２１が支持されている。
【００２２】
次いで、引き出しトレイ２０を、引き出しトレイ収納庫１内に差し入れる方法、引き出しトレイ２０を、引き出しトレイ収納庫１内から引き出す方法、及び引き出しトレイ２０を、引き出しトレイ収納庫１から取り外す方法について、説明する。なお、図４（Ａ）、図５（Ａ）、図６（Ａ）、図７（Ａ）、図８（Ａ）、図９（Ａ）及び図１０（Ａ）では、説明の都合上、片側のガイド部と引き出しトレイとのみを示しているが、実際は、引き出しトレイの両側にガイド部が存在する。
【００２３】
引き出しトレイ収納庫１への引き出しトレイ２０の差し入れであるが、図４に示すように、横方向から、上側ガイド部１１と下側ガイド部１２との上下方向の隙間に、引き出しトレイ２０のフランジ部２１を入れていき、図５に示すように、フランジ部２１を、下側ガイド部１２の両下側ガイド側ストッパー１６（１６ａ、１６ｂ）間に収める。このことにより、引き出しトレイ２０のフランジ部２１の下側の面が、下側ガイド部１２の下側第一平坦面１４及び下側第二平坦面１５（１５ａ、１５ｂ）に接し、言い換えると、下側ガイド部１２の下側第一平坦面１４及び下側第二平坦面１５（１５ａ、１５ｂ）の上に、引き出しトレイ２０のフランジ部２１が載り、フランジ部２１が下側ガイド部１２で支持されて、引き出しトレイ２０が、引き出しトレイ収納庫１内に収納される。このとき、引き出しトレイ２０のトレイ側ストッパー２３（２３ａ、２３ｂ）は、下側ガイド部１２に形成されている下側凹み部１７（１７ａ、１７ｂ）内に収まっている。そのため、引き出しトレイ２０のトレイ側ストッパー２３が、下側ガイド部１２に当接して、引き出しトレイ２０のフランジ部２１が、下側ガイド部１２の下側第一平坦面１４から離れてしまうということがなく、引き出しトレイ２０のフランジ部２１は、下側ガイド部１２の下側第一平坦面１４と接触している。
【００２４】
図５に示すように、引き出しトレイ２０のフランジ部２１が、下側ガイド部材１２の両下側ガイド側ストッパー１６の間に収まっている状態では、下側ガイド部材１２の下側第一平坦面１４及び下側第一平坦面１４と上下方向の位置が同じである下側第二平坦面１５の上に、フランジ部２１が載っているので、フランジ部２１の下側の面の上下方向の位置は、下側第一平坦面１４の上下方向の位置になる。ここで、下側ガイド部１２では、下側第一平坦面１４の上下方向の位置より上に上端が突出するように、下側ガイド側ストッパー１６が形成されているので、下側ガイド側ストッパー１６の上端の上下方向の位置は、下側第一平坦面１４の上下方向の位置より上にある。そのため、フランジ部２１と下側ガイド側ストッパー１６の上下方向の位置関係については、フランジ部２１の下面の位置が、下側ガイド側ストッパー１６の上端の位置より下になっている。そして、フランジ部２１と下側ストッパー１６の左右方向の位置関係については、フランジ部２１の外側に、下側ガイド側ストッパー１６があるので、フランジ部２１が下側ストッパー１６より外側に移動することが妨げられる。そのため、引き出しトレイ２０が引き出しトレイ収納庫１内から外に飛び出すことが防がれる。
【００２５】
引き出しトレイ収納庫１内からの引き出しトレイ２０の引き出しであるが、先ず、図６に示すように、フランジ部２１の端を、下側ガイド側ストッパー１６ａの上端より上に持ち上げから、フランジ部２１の端を、下側ガイド側ストッパー１６ａと上側ガイド部１１との隙間を通すようにして、引き出しトレイ２０を外側へ移動させ、更に、図７に示すように、トレイ側ストッパー２３ａをも、下側ガイド側ストッパー１６ａの上を乗り越えさせる。
【００２６】
次いで、引き出しトレイ２０を更に、収納庫の外側へ移動させて、引き出しトレイ収納庫１内から引き出す。そして、図８に示すように、下側ガイド側ストッパー１６ａに、トレイ側ストッパー２３ｂの内側２３１ｂが当たるところまで、引き出しトレイ２０を引き出しトレイ収納庫の外側に引き出す。トレイ側ストッパー２３ｂの内側２３１ｂが、下側ガイド側ストッパー１６ａの内側に当たるところまで、引き出しトレイ２０が引き出されると、トレイ側ストッパー２３ｂの内側２３１ｂが、下側ガイド側ストッパー１６ａに引っ掛かるので、下側ガイド側ストッパー１６ａより外側に、引き出しトレイ２０のトレイ側ストッパー２３ｂが移動するのが防がれる。そのため、引き出しトレイ２０を引き出すときに、引き出しトレイ２０が、引き出しトレイ支持部材から外れてしまうことが防がれる。つまり、トレイ側ストッパーは、引き出しトレイが引き出しトレイ支持部材のガイド部内から引き出されるときに、内側が、下側ガイド側ストッパーに引っ掛かることにより、引き出しトレイがトレイ支持部材から外れるのを防ぐためのストッパーである。
【００２７】
次いで、図９に示すように、下側ストッパー１６ａとトレイ側ストッパー２３ｂの内側２３１ｂとの接点２５を支点として、引き出しトレイ２０の中が外側に向くように、引き出しトレイ２０を傾ける。つまり、下側ストッパー１６ａとトレイ側ストッパー２３ｂの内側２３１ｂとの接点２５を支点として、引き出しトレイ２０が外側に向けて傾く。そして、上側ガイド部１１の両端近傍には、外側に向けて下り傾斜の上側傾斜面１８が形成されており、上側傾斜面１８にフランジ部２１の端部近傍２２１の上側の面が、上側傾斜面１８に接するまで、引き出しトレイ２０を傾ける。つまり、上側傾斜面１８にフランジ部２１の端部近傍の上側の面が、上側傾斜面１８に接するまで、引き出しトレイ２０が傾く。このとき、引き出しトレイ２０の傾き方であるが、引き出しトレイ２０を引き出す者から見たときには、引き出しトレイ２０の手前側が下に下がり、引き出し者の方に、トレイの中が向くように、引き出しトレイ２０が傾く。そのため、引き出しトレイ収納庫の上方の段に収納されている引き出しトレイからでも、引き出しトレイの中の収納物を取り出し易くなる。また、引き出し者の方に、トレイの中が向いているので、どの段の引き出しトレイからも、中の収納物が取り出し易くなる。つまり、トレイ側ストッパー２３の形成位置は、引き出しトレイが引き出しトレイ支持部材のガイド部内から引き出されて、トレイ側ストッパーがガイド側ストッパーに引っ掛かった後に、トレイ側ストッパーとガイド側ストッパーの接点を支点として、引き出しトレイが外側に向けて傾き、且つ、フランジ部の端が上側ガイド部に当接できる位置である。
【００２８】
引き出しトレイ収納庫１からの引き出しトレイ２０の取り外し方であるが、図１０に示すように、フランジ部２１の端を上に持ち上げて、引き出しトレイ２０の中が内側に向くように、引き出しトレイ２０を傾ける。このとき、トレイ側ストッパー２３ｂの下端の位置が、下側ガイド側ストッパー１６ａより上になるまで、引き出しトレイ２０を傾ける。このことにより、トレイ側ストッパー２３ｂと下側ガイド側ストッパー１６ａとの引っ掛かりが解ける。そして、トレイ側ストッパー２３ｂと下側ガイド側ストッパー１６ａとの引っ掛かりが解けたら、引き出しトレイ２０を外側に引き抜くことにより、ガイド部１０からフランジ部２１が外れて、引き出しトレイ収納庫１から引き出しトレイ２０を取り外すことができる。
【００２９】
本発明の引き出しトレイは、平面視が矩形の引き出しトレイであって、
該矩形の対向する２組の２辺のうち、少なくとも１組の対向する２辺に、側面から外側に張り出すフランジ部が形成されており、
該フランジ部の下側且つ両端近傍に、トレイ側ストッパーが形成されており、
該トレイ側ストッパーは、該引き出しトレイが引き出しトレイ支持部材のガイド部内から引き出されるときに、内側が、該引き出しトレイ支持部材の下側ガイド側ストッパーに引っ掛かることにより、該引き出しトレイが該トレイ支持部材から外れるのを防ぎ、且つ、該引き出しトレイが引き出しトレイ支持部材のガイド部内から引き出されて、該トレイ側ストッパーが該下側ガイド側ストッパーに引っ掛かった後に、該トレイ側ストッパーと該下側ガイド側ストッパーの接点を支点として、該引き出しトレイを外側に向けて傾かせ、該フランジ部の端を該引き出しトレイ支持部材の上側ガイド部に当接させることができるものであること、
を特徴とする引き出しトレイである。
【００３０】
本発明の引き出しトレイは、平面視の形状が矩形である。つまり、本発明の引き出しトレイは、収納物が収納される部位を上から見たときの形状が矩形である。
【００３１】
本発明の引き出しトレイでは、矩形の対向する２組の２辺のうち、少なくとも１組の対向する２辺に、側面から外側に張り出すフランジ部が形成されている。つまり、本発明の引き出しトレイでは、矩形の対向する２組の２辺のうち、１組の対向する２辺に、側面から外側に張り出すフランジ部が形成されているか、矩形の対向する２組の対向する２辺のいずれもに、側面から外側に張り出すフランジ部が形成されている。
【００３２】
本発明の引き出しトレイのフランジ部の下側且つ両端近傍には、トレイ側ストッパーが形成されている。
【００３３】
図２に示す形態例では、矩形の引き出しトレイの４辺の全てに、フランジ部及びトレイ側ストッパーが形成されているが、本発明はこれに限定されるものではない。本発明の引き出しトレイは、矩形の対向する２組の２辺のうち、少なくとも１組の対向する２辺に、フランジ部及びトレイ側ストッパーが形成されていればよい。つまり、本発明引き出しトレイは、矩形の対向する２組の２辺のうちの１組の対向する２辺に、フランジ部及びトレイ側ストッパーが形成されているか、又は矩形の４辺全てにフランジ部及びトレイ側ストッパーが形成されている。
【００３４】
トレイ側ストッパーの形状は、特に制限されず、引き出しトレイが引き出しトレイ支持部材のガイド部内に差し入れられるときに、引き出しトレイの差し入れを不可能にするものではなく、且つ、引き出しトレイが引き出しトレイ支持部材のガイド部内から引き出されるときに、内側が、トレイ支持部材の下側ガイド側ストッパーに引っ掛かることができ、且つ、引き出しトレイが引き出しトレイ支持部材のガイド部内から引き出されて、トレイ側ストッパーが下側ガイド側ストッパーに引っ掛かった後に、トレイ側ストッパーと下側ガイド側ストッパーの接点を支点として、引き出しトレイが外側に向けて傾くことができる形状であればよい。図２に示す形態例では、トレイ側ストッパーの内側は、垂直な面になっているが、本発明はこれに制限されず、トレイ側ストッパーの内側がトレイ支持部材の下側ガイド側ストッパーに引っ掛かることができ、且つ、引き出しトレイが引き出しトレイ支持部材のガイド部内から引き出されて、トレイ側ストッパーが下側ガイド側ストッパーに引っ掛かった後に、トレイ側ストッパーと下側ガイド側ストッパーの接点を支点として、引き出しトレイが外側に向けて傾くことができる形態であればよい。また、図２に示す形態例では、トレイ側ストッパーの外側は、外側に向けて上り傾斜の傾斜面になっているが、本発明はこれに制限されず、引き出しトレイが引き出しトレイ支持部材のガイド部内に差し入れられるときに、引き出しトレイの差し入れを不可能にするものでなければよく、例えば、外側が垂直な面になっていてもよい。そして、トレイ側ストッパーの外側が、外側に向けて上り傾斜の傾斜面になっていることが、引き出しトレイを引き出しトレイ支持部材のガイド部内に差し入れるときに、引き出しトレイを差し入れ易くなる点で好ましい。
【００３５】
トレイ側ストッパーの内側の位置は、引き出しトレイが引き出しトレイ支持部材のガイド部内から引き出されて、トレイ側ストッパーが下側ガイド側ストッパーに引っ掛かった後に、トレイ側ストッパーと下側ガイド側ストッパーの接点を支点として、引き出しトレイが外側に向けて傾き、且つ、フランジ部の端が上側ガイド部に当接できる位置であればよい。フランジ部の端からトレイ側ストッパーの内側までの距離は、例えば、１０〜１５０ｍｍ、好ましくは５０〜８０ｍｍである。
【００３６】
本発明の第一の形態の引き出しトレイ支持部材（以下、本発明の引き出しトレイ支持部材（１）とも記載する。）は、複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向し且つ該引き出しトレイのフランジ部の下側の面が接する下側第一平坦面を有し、
該下側ガイド部の両端には、該下側第一平坦面の上下方向の位置より上に上端が突出している下側ガイド側ストッパーが形成されており、
該下側第一平坦面の両側には、引き出しトレイのトレイ側ストッパーを収めるための下側凹み部が形成されていること、
を特徴とする引き出しトレイ支持部材である。
【００３７】
本発明の引き出しトレイ支持部材（１）は、本発明の引き出しトレイ収納庫に取り付けられ、収納庫内で本発明の引き出しトレイを支持する部材である。
【００３８】
本発明の引き出しトレイ支持部材（１）は、本発明の引き出しトレイに形成されているフランジ部をガイドするガイド部を有する。
【００３９】
本発明の引き出しトレイ支持部材（１）に係るガイド部は、上側ガイド部と、下側ガイド部と、からなる。上側ガイド部は、下側ガイド部の第一平坦面に対向する上側平坦面を有する。また、下側ガイド部は、上側平坦面に対向する下側第一平坦面を有する。この下側第一平坦面は、引き出しトレイのフランジ部の下側の面が接する面、すなわち、本発明の引き出しトレイのフランジ部が載る面である。
【００４０】
本発明の引き出しトレイ支持部材（１）では、下側ガイド部の下側第一平坦面の両側には、下側凹み部が形成されている。この下側凹み部は、本発明の引き出しトレイのトレイ側ストッパーが収まる凹みであり、トレイ側ストッパーを収めることにより、トレイ側ストッパーが、下側ガイド部に当接して、本発明の引き出しトレイのフランジ部が、下側ガイド部の下側第一平坦面から離れてしまうことを防ぐための凹みである。下側凹み部の形状及び位置は、本発明の引き出しトレイのトレイ側ストッパーを収めることができ、引き出しトレイのトレイ側ストッパーが下側ガイド部に当接して、引き出しトレイのフランジ部が、下側ガイド部の下側第一平坦面から離れてしまうのを防ぐことができるものであれば、特に制限されず、適宜選択される。そして、下側ガイド部にトレイ側ストッパーが収められる下側凹み部が形成されていることにより、本発明の引き出しトレイのフランジ部が、下側第一平坦面と、面接触することができるので、本発明の引き出しトレイのトレイ側ストッパーが、下側ガイド部に点接触する場合に比べ、本発明の引き出しトレイのフランジ部のひずみが小さくなる点で好ましい。
【００４１】
例えば、図１１（Ａ）に示す形態例の下側ガイド部１１２では、下側第一平坦面１４の両側に、下側凹み部１７が形成されており、図１１（Ｂ）に示すように、下側凹み部１７内に、引き出しトレイのトレイ側ストッパー２３が収まっている。そして、引き出しトレイのトレイ側ストッパー２３が、下側凹み部１７に収まっていることにより、下側第一平坦面１４は、フランジ部２１の下側の面と離れずに、面接触することできる。
【００４２】
図３に示す形態例では、下側ガイド部の下側凹み部と下側ガイド側ストッパーとの間に、下側第二平坦面が形成されているが、本発明の引き出しトレイ支持部材（１）はこれに限定されるものではなく、図１１に示す形態例のように、下側第二平坦面が形成されていなくてもよい。そして、下側第一平坦面の両側にトレイ側ストッパーが収められる下側凹み部が形成されており、且つ、下側ガイド部の下側凹み部と下側ガイド側ストッパーとの間に、面の上下方向の位置が下側第一平坦面と同じであり、すなわち、面の高さが下側第一平坦面と同じ高さであり、本発明の引き出しトレイのフランジ部の下側の面が接する下側第二平坦面が形成されていることが、本発明の引き出しトレイのフランジ部が、下側ガイド部と面接触する面積が増えるので、本発明の引き出しトレイのフランジ部のひずみが小さくなる点で好ましい。
【００４３】
例えば、図１２（Ａ）に示す形態例の下側ガイド部２１２では、下側第一平坦面１４の両側に、下側凹み部１７が形成されており、且つ、下側凹み部１７と下側ガイド側ストッパー１６との間に、下側第二平坦面１５が形成されている。そして、下側第二平坦面１５の上下方向の位置は、下側第一平坦面１４の上下方向の位置と同じになっている。そのため、引き出しトレイのフランジ部２１の下側の面は、下側第一平坦面１４に加えて、下側第二平坦面１５とも接触することができるので、下側ガイド部と面接触する面積が増える。
【００４４】
図２に示す形態例では、上側ガイド部の両端近傍には、外側に向けて下り傾斜の上側傾斜面が形成されているが、本発明の引き出しトレイ支持部材（１）は、これに限定されるものではなく、上側傾斜面が形成されていなくてもよい。この上側傾斜面は、本発明の引き出しトレイが、引き出しトレイ支持部材のガイド部内から引き出されて、トレイ側ストッパーが下側ガイド側ストッパーに引っ掛かった後に、トレイ側ストッパーと下側ガイド側ストッパーの接点を支点に、本発明の引き出しトレイが外側に向けて傾くときに、本発明の引き出しトレイのフランジ部の端部近傍の上側の面が接する面である。そして、上側傾斜面の傾斜角を調節することにより、本発明の引き出しトレイが外側に向けて傾く角度を調節するこができる。また、上側傾斜面は、本発明の引き出しトレイのフランジ部の端部近傍の上側の面と、面接触することができるので、上側ガイド部に上側傾斜面が形成されていることにより、端部近傍のフランジ部のひずみを小さくすることができる。上側傾斜面の傾斜角及び位置は、本発明の引き出しトレイの端部近傍のフランジ部と面接触ができるのであれば、特に制限されず、適宜選択される。
【００４５】
例えば、図１３（Ａ）に示す形態例の上側ガイド部１１１は、上側ガイド部１１１の両端近傍には、上側傾斜面１８が形成されており、図１３（Ｂ）に示すように、下側ガイド側ストッパー１６と引き出しトレイのトレイ側ストッパー２３との接点２５を支点として、引き出しトレイが傾いたときに、上側傾斜面１８が、引き出しトレイのフランジ部２１の端部近傍の上側の面と、面接触している。
【００４６】
図１に示す形態例では、トレイ支持部材は、全てのガイド部が一体となっているトレイ支持部材であるが、本発明のトレイ支持部材（１）は、これに限定されるものではない。例えば、本発明のトレイ支持部材（１）としては、一対の上側ガイド部と下側ガイド部からなる形態例が挙げられる。このような形態例の場合は、この一対の上側ガイド部と下側ガイド部からなる形態例を多数個用意し、それらを収納庫の適切な位置に上下方向に並べて取り付ける。
【００４７】
本発明の第二の形態の引き出しトレイ支持部材（以下、本発明の引き出しトレイ支持部材（２）とも記載する。）は、複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側平坦面を有し、
該下側ガイド部の両端には、引き出しトレイが該引き出しトレイ支持部材内に収納されているときに、該引き出しトレイの下側の面の上下方向の位置より上に上端が突出している下側ガイド側ストッパーが形成されていること、
を特徴とする引き出しトレイ支持部材である。
【００４８】
本発明の引き出しトレイ収納庫は、本発明の引き出しトレイ支持部材（１）又は（２）が取り付けられていることを特徴とする引き出しトレイ収納庫である。
【００４９】
本発明の引き出しトレイ収納庫は、複数の本発明の引き出しトレイを多段の棚状に収納する収納庫である。
【００５０】
図１に示す形態例は、移動型の収納庫であるが、本発明の引き出しトレイ収納庫は、これに限定されるものではなく、移動型であっても、固定型であってもよい。そして、本発明の引き出しトレイ収納庫は、移動型であること、すなわち、ワゴン車であることが好ましい。特に、本発明の引き出しトレイ収納庫は、病院用のワゴン車であることが好ましい。また、本発明の引き出しトレイ収納庫は、スーパーマーケット、大規模小売店舗等の商品陳列、運搬、移動などに用いられる商品運搬用のワゴン車であることが好ましい。
【００５１】
本発明の引き出しトレイ収納庫は、本発明の引き出しトレイ支持部材（１）又は（２）が取り付けられており、且つ、本発明の引き出しトレイが１以上収納されていることを特徴とする引き出しトレイ収納庫である。つまり、本発明の引き出しトレイ収納庫は、本発明の引き出しトレイ支持部材（１）又は（２）と、本発明の引き出しトレイ支持部材（１）又は（２）に収納されている１以上の本発明の引き出しトレイと、からなることを特徴とする引き出しトレイ収納庫である。
【符号の説明】
【００５２】
１            引き出しトレイ収納庫
２ａ、２ｂ    引き出しトレイ支持部材
３            枠体
４            車輪
１０          ガイド部
１１、１１１  上側ガイド部
１２、１１２、２１２  下側ガイド部
１３          上側平坦面
１４          下側第一平坦面
１５、１５ａ、１５ｂ  下側第二平坦面
１６、１６ａ、１６ｂ  下側ガイド側ストッパー
１７、１７ａ、１７ｂ  下側凹み部
１８、１８ａ、１８ｂ  上側傾斜面
２０          引き出しトレイ
２１          フランジ部
２２          フランジ部の端
２３、２３ａ、２３ｂ  トレイ側ストッパー
２５          接点
２３１ａ、２３１ｂ  トレイ側ストッパーの内側
【図１】
2015221088.tif 000003
【図２−（Ａ）】
2015221088.tif 000004
【図２−（Ｂ）】
2015221088.tif 000005
【図２−（Ｃ）】
2015221088.tif 000006
【図２−（Ｄ）】
2015221088.tif 000007
【図２−（Ｅ）】
2015221088.tif 000008
【図３】
2015221088.tif 000009
【図４】
2015221088.tif 000010
【図５】
2015221088.tif 000011
【図６】
2015221088.tif 000012
【図７】
2015221088.tif 000013
【図８】
2015221088.tif 000014
【図９】
2015221088.tif 000015
【図１０】
2015221088.tif 000016
【図１１】
2015221088.tif 000017
【図１２】
2015221088.tif 000018
【図１３】
2015221088.tif 000019